(57)【要約】【課題】深型の本体槽を有しながら、作業者による浮上分離槽の清掃等のメンテナンスも容易に行える油脂分阻集器を提供する。【解決手段】上部に開口部１１ａを有する深型の本体槽１１と、本体槽１１の下部に配置され、被処理水ＤＷから油脂分Ｆを比重差で浮上分離する浮上分離槽１２と、浮上分離槽１２に被処理水ＤＷを流入させる流入部１３と、油脂分Ｆを浮上分離した後の処理済水ＤＷを浮上分離槽１２から流出させる流出部１４と、本体槽１１の上下中間部に浮上分離槽１２の上方を開放する状態で配置される中間床部１５と、本体槽１１の上部の開口部１１ａを通じて本体槽１１の外部と中間床部１５との間での人の昇降移動を可能とする昇降部１６と、が備えられている。【選択図】図１
2020089832.tif 000002
【特許請求の範囲】
【請求項１】
上部に開口部を有する深型の本体槽と、
前記本体槽の下部に配置され、被処理水から油脂分を比重差で浮上分離する浮上分離槽と、
前記浮上分離槽に被処理水を流入させる流入部と、
油脂分を浮上分離した後の処理済水を前記浮上分離槽から流出させる流出部と、
前記本体槽の上下中間部に前記浮上分離槽の上方を開放する状態で配置される中間床部と、
前記本体槽の上部の前記開口部を通じて前記本体槽の外部と前記中間床部との間での人の昇降移動を可能とする昇降部と、が備えられている油脂分阻集器。
【請求項２】
前記中間床部が、平面視において前記浮上分離槽に対して被処理水の流れ方向の上流側で隣接する位置に配置されている請求項１記載の油脂分阻集器。
【請求項３】
前記昇降部には、前記本体槽における前記開口部と前記中間床部との間の高さ位置に設置された１又は複数の昇降ステップが備えられ、
前記１又は複数の昇降ステップが、前記本体槽における前記中間床部の直上域内に納められている請求項１又は２記載の油脂分阻集器。
【請求項４】
前記昇降部には、前記本体槽における前記開口部と前記中間床部との間の高さ位置に設置された１又は複数の昇降ステップが備えられ、
前記１又は複数の昇降ステップが、前記本体槽における前記浮上分離槽の直上域に着脱自在に設置されている請求項１又は２記載の油脂分阻集器。
【発明の詳細な説明】
【技術分野】
【０００１】
本発明は、被処理水から油脂分を阻集する油脂分阻集器に関する。
【背景技術】
【０００２】
この種の油脂分阻集器は、例えば、特許文献１、２に示すように、厨房排水等の排水（被処理水の一例）から油脂分を比重差で浮上分離する浮上分離槽と、浮上分離槽に排水を流入させる流入部と、油脂分を浮上分離した後の排水（処理済水の一例）を浮上分離槽から流出させる流出部と、を備えて構成されている。流入部にて浮上分離槽に流入させた排水を、浮上分離槽にて一定時間滞留させることで排水の温度低下による油脂分の凝固を伴って排水から油脂分を浮上分離させ、油脂分を浮上分離した後の排水を流出部にて浮上分離槽から流出させることができる。特に、浮上分離槽は、定期的に清掃等のメンテナンスが行われる。
【０００３】
ところで、油脂分阻集器は、衛生上及び維持管理上の観点から厨房外に設置することが多い。このように油脂分阻集器を厨房外に設置すると、厨房内の排水箇所等から油脂分阻集器の流入部までの排水距離が長くなり、排水勾配に起因して油脂分阻集器の浮上分離槽の設置深さが深くなる。厨房面積の広い厨房の場合はその影響は顕著であり、油脂分阻集器の浮上分離槽の設置深さ（油脂分阻集器が埋設状態で設置される上部床部の上面から浮上分離槽までの深さ）が２ｍ近い深さとなるケースもある。
そこで、このような場合には、上部に開口部を有する深型の本体槽の下部に浮上分離槽が配置された油脂分阻集器が用いられている。
【先行技術文献】
【特許文献】
【０００４】
【特許文献１】実用新案登録第３１９３０４２号
【特許文献２】特開２０１５−０７７５３１号公報
【発明の概要】
【発明が解決しようとする課題】
【０００５】
上記のような油脂分阻集器は、浮上分離槽が深型の本体槽の下部に配置されているので、油脂分阻集器が設置される上部床部の上面から浮上分離槽までの距離が遠くなり、作業者が浮上分離槽の清掃等のメンテナンスを行い難い不都合がある。
例えば、浮上分離槽内に設置したバスケット等の残渣受け部の清掃の際には、都度、作業者が上部床面から専用の治具を使って残渣受け部を引き上げなければならない。また、浮上分離槽内を高圧洗浄する際にも、上部床部の上面からの対応となり、清掃作業が行い難く、槽内への転落にも注意を要する。
【０００６】
この実情に鑑み、本発明の主たる課題は、深型の本体槽を有しながら、作業者による浮上分離槽の清掃等のメンテナンスも容易に行える油脂分阻集器を提供する点にある。
提供する点にある。
【課題を解決するための手段】
【０００７】
本発明の第１特徴構成は、上部に開口部を有する深型の本体槽と、
前記本体槽の下部に配置され、被処理水から油脂分を比重差で浮上分離する浮上分離槽と、
前記浮上分離槽に被処理水を流入させる流入部と、
油脂分を浮上分離した後の処理済水を前記浮上分離槽から流出させる流出部と、
前記本体槽の上下中間部に前記浮上分離槽の上方を開放する状態で配置される中間床部と、
前記本体槽の上部の前記開口部を通じて前記本体槽の外部と前記中間床部との間での人の昇降移動を可能とする昇降部と、が備えられている点にある。
【０００８】
本構成によれば、本体槽の下部に配置された浮上分離槽に対して清掃等のメンテナンスを行う際、作業者が昇降部を使用し、本体槽の外部の上部床面（本体層の上面に相当する高さの面）から本体槽の上下中間部の中間床部に移動し、その中間床部に降り立つことができる。よって、本体槽の下部に配置された浮上分離槽に対する作業床を、上部床部よりも距離の近い中間床部とすることができ、浮上分離槽に対するメンテナンスを行い易くすることができる。
【０００９】
本発明の第２特徴構成は、前記中間床部が、平面視において前記浮上分離槽に対して被処理水の流れ方向の上流側で隣接する位置に配置されている点にある。
【００１０】
本構成によれば、中間床部が被処理水の流れ方向の上流側で浮上分離槽の近くに配置されているので、中間床部を作業床として使用するメンテナンス作業において、浮上分離槽の上流側に配置されるバスケット等の残渣受け部の取り出し等を容易に行うことができる。また、本体槽の平面形状を被処理水の流れ方向に長い長方形等のシンプルな形状とすることができ、運搬性やコスト面に優れた油脂分阻集器を構成できる。
【００１１】
本発明の第３特徴構成は、前記昇降部には、前記本体槽における前記開口部と前記中間床部との間の高さ位置に設置された１又は複数の昇降ステップが備えられ、
前記１又は複数の昇降ステップが、前記本体槽における前記中間床部の直上域内に納められている点にある。
【００１２】
本構成によれば、昇降部の昇降ステップが中間床部の直上域内に納められているので、作業者は中間床部に安全に降り立つことができる。そして、中間床部に降り立ってメンテナンス作業を行う際には、昇降ステップが設置されていない浮上分離槽の直上域を利用してメンテナンス作業を能率良く行うことができる。
【００１３】
本発明の第４特徴構成は、前記昇降部には、前記本体槽における前記開口部と前記中間床部との間の高さ位置に設置された１又は複数の昇降ステップが備えられ、
前記１又は複数の昇降ステップが、前記本体槽における前記浮上分離槽の直上域に着脱自在に設置されている点にある。
【００１４】
本構成によれば、昇降部の昇降ステップを浮上分離槽の直上域に設置することで、昇降部を階段状に構成することができ、作業者は上部床面と中間床部との間での昇降移動を斜め方向に沿って少ない労力で行うことができる。そして、中間床部に降り立ってメンテナンス作業を行う際には、昇降ステップを取り外すことで、浮上分離槽の直上域を利用してメンテナンス作業を能率良く行うことができる。
【図面の簡単な説明】
【００１５】
【図１】第１実施形態の油脂分阻集器の側面断面図
【図２】第１実施形態の油脂分阻集器の平面図
【図３】第２実施形態の油脂分阻集器の側面断面図
【図４】第２実施形態の油脂分阻集器の平面図
【発明を実施するための形態】
【００１６】
本発明の油脂分阻集器の実施形態を図面に基づいて説明する。
〔第１実施形態〕
図１、図２に示すように、この油脂分阻集器１０は、施設内等において厨房等から排水する排水路１の途中部位に備えられ、排水路１を流れる厨房排水等の排水ＤＷ（被処理水の一例）から油脂分Ｆ（図１参照）を阻集するように構成されている。油脂分Ｆが阻集された排水ＤＷ（処理済水の一例）は、下流の排水枡に排水されて下水本管等に放流される。この油脂分阻集器１０は、例えば、その上部が施設内の床部２（上部床部の一例）の上面に露出する状態で、且つ、その下部が床下空間３に配置される状態で床部２に設置され、床下空間３において上流側及び下流側の排水路１が接続されている。
【００１７】
油脂分阻集器１０には、上部に開口部１１ａを有する深型の本体槽１１と、本体槽１１の下部に配置されて排水ＤＷから油脂分Ｆ（図２参照）を比重差で浮上分離する浮上分離槽１２と、浮上分離槽１２に排水ＤＷを流入させる流入部１３と、油脂分Ｆを浮上分離した後の排水ＤＷを浮上分離槽１２から流出させる流出部１４とが備えられている。浮上分離槽１２は、流入部１３側から流出部１４側に向かう被処理水流れ方向（図１中、左側から右側に向かう方向）に沿って排水ＤＷが流れる間に油脂分Ｆを浮上分離するように構成されている。
【００１８】
更に、この油脂分阻集器１０には、本体槽１１の上下中間部において浮上分離槽１２の上方を開放する状態で配置される中間床部１５と、本体槽１１の上部の開口部１１ａを通じて本体槽１１の外部と中間床部１５との間での人の昇降移動を可能とする昇降部１６と、が備えられている。そのため、本体槽１１の下部に配置された浮上分離槽１２に対して清掃等のメンテナンスを行う際、作業者が昇降部１６を使用して本体槽１１の外部の床部２の上面から本体槽１１の上下中間部の中間床部１５に移動して降り立つことができ、床部２の上面よりも近い位置から浮上分離槽１２のメンテナンスを容易に行うことができる。
以下、図１、図２に基づいて、油脂分阻集器１０の各部の具体的構成について説明を加える。
【００１９】
（本体槽）
本体槽１１は、平面視において被処理水流れ方向に長い長方形状で、且つ、側面視において被処理水流れ方向の上流側で底部が一段浅く形成された二段底形状のボックス状に構成されている。本体槽１１において、底部が一段深い被処理水流れ方向の下流側（図中右側）の部位に浮上分離槽１２が配置され、底部の一段浅い被処理水流れ方向の上流側（図中左側）の部位に中間床部１５が配置されている。浮上分離槽１２は、その全体が中間床部１５よりも深い部位に配置されている。なお、図示は省略するが、本体槽１１の上部の開口部１１ａには、着脱自在な開閉蓋が備えられる。
【００２０】
具体的には、本体槽１１は、被処理水流れ方向の下流側でその全高に亘って略鉛直姿勢で延びる下流側壁板１１Ａ、その下流側壁板１１Ａの下端から上流側に略水平姿勢で延びる下流側底板１１Ｂ、その下流側底板１１Ｂの上流端から上方に向かって略鉛直姿勢で延びる上流側下壁板１１Ｃ、その上流側下壁板１１Ｃの上端から上流側に略水平姿勢で延びる上流側底板１１Ｄ、その上流側底板１１Ｄの上流端から上方に向かって略鉛直姿勢で延びる上流側上壁板１１Ｅ、及び、左右の両側壁板１１Ｆにて、上面を除く５つの面が覆われたボックス状に構成されている。そして、下流側壁板１１Ａの下側部位、下流側底板１１Ｂ、上流側下壁板１１Ｃ、及び、左右の両側壁板１１Ｆの下側部位にて浮上分離槽１２の外郭が構成されている。また、上流側底板１１Ｄの上面にて中間床部１５が構成されている。
【００２１】
本体槽１１の上方の開口部１１ａの外周縁には、略水平姿勢で鍔状に突出する突出板１１Ｇが備えられている。本体槽１１は、鍔状の突出板１１Ｇが床部２の上面に載置支持される状態で設置されており、本体槽１１の荷重は、床部２を支持する梁４にて支持されている。また、本体槽１１における中間床部１５を構成する上流側底板１１Ｄの下には、当該上流側底板１１Ｄの下面の下流側の部位に当接する状態で、中間床部用支持梁５が備えられており、中間床部１５に降り立った作業者の荷重を適切に支持することができる。
【００２２】
（浮上分離槽）
浮上分離槽１２は、被処理水流れ方向の上流側から下流側に向かって、流入槽部１２Ａ、複数の油脂分浮上槽部１２Ｂ，１２Ｃ、流出槽部１２Ｄが順番に備えられている。この浮上分離槽１２は、流入槽部１２Ａにて排水ＤＷを内部に流入させ、油脂分浮上槽部１２Ｂ，１２Ｃにて比重差で油脂分Ｆが浮上する現象を利用して排水ＤＷから油脂分Ｆを浮上分離させ、その浮上分離後の排水ＤＷを流出槽部１２Ｄにて外部に流出させることができる。
【００２３】
各槽部１２Ａ〜１２Ｄの間は、例えば、上下方向に沿う縦姿勢の第１仕切り板１２ａ（仕切り部の一例）により、排水ＤＷが流れる連通口１２ｂを底側に形成する状態で上下方向に仕切られている。また、各油脂分浮上槽部１２Ｂ，１２Ｃの底部には、連通口１２ｂを通じて上流側から各油脂分浮上槽部１２Ｂ，１２Ｃに流入する排水ＤＷの流れを上方側に案内する案内板１２ｄが立設されている。
【００２４】
流入部１３から排水ＤＷが流入する流入槽部１２Ａには、排水ＤＷの残渣を捕集する通水性の残渣受け部１７が着脱自在に備えられている。残渣受け部１７にて、流入槽部１２Ａに流入する排水ＤＷから残渣を取り除くことで、排水ＤＷを浮上分離に適した状態にすることができる。残渣受け部１７は、例えば、多数の小孔を有する籠にて構成され、その小孔の孔径よりも大きな残渣を捕集しながら排水ＤＷを下流側に通過させる。残渣受け部１７は、下方から支持される状態で流入槽部１２Ａに着脱自在に備えられており、その長手方向の両側に着脱操作用の一対の取っ手１７ａが備えられている。
【００２５】
（流入部）
流入部１３は、浮上分離槽１２の被処理水流れ方向の上流側の壁部（本体槽１１の上流側下壁板１１Ｃ）に形成された流入口１３Ａを備えて構成されている。この流入口１３Ａに対して浮上分離槽１２の外側から上流側の排水路１が接続され、上流側の排水路１を流れる排水ＤＷが流入口１３Ａを通じて浮上分離槽１２の流入槽部１２Ａに流入するようになっている。流入口１３Ａは、例えば、浮上分離槽１２の貯留水位ＷＬよりも上方に配置され、貯留水位ＷＬよりも上方位置から浮上分離槽１２の流入槽部１２Ａに排水ＤＷを落下流入させる。
【００２６】
（流出部）
流出部１４は、浮上分離槽１２の被処理水流れ方向の下流側の壁部（本体槽１１の下流側壁板１１Ａの下側部位）に形成された流出口１４Ａを備えて構成されている。この流出口１４Ａに対して浮上分離槽１２の外側から下流側の排水路１が接続され、浮上分離槽１２の流出槽部１２Ｃ内の排水ＤＷが流出口１４Ａを通じて下流側の排水路１に流出するようになっている。流出口１４Ａは、例えば、浮上分離槽１２の貯留水位ＷＬに配置され、浮上分離槽１２からオーバーフローさせる状態で排水ＤＷを流出させる。
なお、流出口１４Ａの浮上分離槽１２の内側には、浮上分離槽１２の流出槽部１２Ｄの底側位置で先端が開口し、下流側の排水路１からの臭気の逆流を防止しながら流出槽部１２Ｄの底側の排水ＤＷを流出口１４Ａに案内するトラップ管１４Ｂ等が接続されている。
【００２７】
（中間床部）
中間床部１５は、作業者が降り立ち可能な床面積を有する矩形状の床部として構成され、本体槽１１の内部において平面視で浮上分離槽１２に対して被処理水流れ方向の上流側で隣接する位置であって、浮上分離槽１２の流入槽部１２Ａに隣接する位置に配置されている。具体的には、中間床部１５は、浮上分離槽１２における被処理水流れ方向の上流端の壁部（本体槽１１の上流側下壁板１１Ｃ）の上端から略水平姿勢で延びる上流側底板１１Ｄの上面にて構成されている。
そのため、作業者が中間床部１５を作業床として使用するメンテナンス作業において、浮上分離槽１２の流入槽部１２Ａに設置された残渣受け部１７の取り出し等を容易に行うことができる。また、前述の如く、本体槽１１の平面形状が、被処理水流れ方向に長い長方形状というシンプルな形状とすることができ、運搬性やコスト面に優れた油脂分阻集器１０を構成できる。
【００２８】
（昇降部）
昇降部１６は、本体槽１１における上部の開口部１１ａと中間床部１５との間の高さ位置に設置された複数（本例では３個）の昇降ステップ１６Ａを備えて構成されている。
本実施形態では、各昇降ステップ１６Ａは、平面視でコの字状に延びる鋼製のパイプにて構成され、中間床部１５に隣接する壁板１１Ｅ，１１Ｆのうち、中間床部１５に対して浮上分離槽１２とは反対側に位置する上流側上壁板１１Ｅに上下方向で所定間隔を空けて梯子状に備えられている。複数の昇降ステップ１６Ａは、本体槽１１における浮上分離槽１２の直上域Ｓ２に逸脱せず、本体槽１１における中間床部１５の直上域Ｓ１内に納められている。
そのため、作業者が中間床部１５に降り立って浮上分離槽１２のメンテナンスを行う際、浮上分離槽１２の直上域Ｓ２を使用してメンテナンス作業を能率良く行うことができる。
【００２９】
〔第２実施形態〕
この第２実施形態は、昇降部１６の別実施形態を示すものであり、以下、図３、図４を参照して昇降部１６について説明を加える。なお、その他の構成は第１実施形態と同一であるので、同一の構成箇所には同一の符号を付して説明は省略する。
【００３０】
第１実施形態では、昇降部１６を構成する複数の昇降ステップ１６Ａが、本体槽１１における中間床部１５の直上域Ｓ１内に納められていたが、この第２実施形態では、昇降部１６を構成する複数の昇降ステップ１６Ｂが、本体槽１１における浮上分離槽１２の直上域Ｓ２に着脱自在に設置されている。なお、図４では、複数の昇降ステップ１６Ｂのうち、残渣受け部１７の直上に位置する図中左側の昇降ステップ１６Ｂを取り外した状態を示している。
【００３１】
複数の昇降ステップ１６Ｂは、中間床部１５から浮上分離槽１２側に斜め上方に向かって所定間隔を空けて階段状に備えられている。各昇降ステップ１６Ｂは、着脱自在な鋼製の踏み板等にて構成されている。
そのため、作業者は上部の床部２と中間床部１５との間での昇降移動を斜め方向に沿って少ない労力で行うことができる。また、中間床部１５に降り立ってメンテナンス作業を行う際には、昇降ステップ１６Ｂを取り外すことで、浮上分離槽１２の直上域Ｓ２を利用してメンテナンス作業を能率良く行うことができる。
【００３２】
本体槽１１の一対の側壁板１１Ｆにおける昇降ステップ１６Ｂの設置部位には、アングル材等からなる一対のステップ受け１６Ｃが取り付けられており、昇降ステップ１６Ｂの長手方向の両端部の各々を一対のステップ受け１６Ｃの各々に上方から載置することで、昇降ステップ１６Ｂを着脱自在に設置されている。
【００３３】
昇降ステップ１６Ｂの短手方向の両端部には、下方に突出する脱落防止片１６ａが形成されており、昇降ステップ１６Ｂがステップ受け１６Ｃから脱落するのをステップ受け１６Ｃとの当接により阻止することができる。
また、一対のステップ受け１６Ｃどうしの間隔Ｌ１は、流入槽部１２Ａに着脱自在に備えられた残渣受け部１７の長手方向の寸法Ｌ２よりも大に設定されている。そのため、作業者が中間床部１５に降り立って昇降ステップ１６Ａを取り外した状態でメンテナンスを行う際、一対のステップ受け１６Ｃどうしの間を通して残渣受け部１７を上方に容易に取り出すことができる。
【００３４】
〔別実施形態〕
本発明の他の実施形態について説明する。以下に説明する各実施形態の構成は、それぞれ単独で適用することに限らず、他の実施形態の構成と組み合わせて適用することも可能である。
【００３５】
（１）上記実施形態では、本体槽１１において、１つの中間床部１５が備えられている場合を例に示したが、複数の中間床部１５が備えられていてもよい。その場合、複数の中間床部１５を平面視で分散して配置することができ、例えば、２つの中間床部１５を浮上分離槽１２の上流側と下流側とに配置したり、４つの中間床部１５を浮上分離槽１２の４辺の夫々に隣接する状態で配置することができる。
【００３６】
（２）上記実施形態では、油脂分阻集器１０を施設内の床部２に設置されている場合を例に示したが、油脂分阻集器１０は、屋外の地盤等の適宜の箇所に設置することができる。
【符号の説明】
【００３７】
１０        油脂分阻集器
１１        本体槽
１１ａ      開口部
１２        浮上分離槽
１３        流入部
１４        流出部
１５        中間床部
１６        昇降部
１６Ａ      昇降ステップ
１６Ｂ      昇降ステップ
ＤＷ        排水（被処理水、処理済水）
Ｆ          油脂分
Ｓ１        中間床部の直上域
Ｓ２        浮上分離槽の直上域
【図１】
2020089832.tif 000003
【図２】
2020089832.tif 000004
【図３】
2020089832.tif 000005
【図４】
2020089832.tif 000006